【手続補正書】
【提出日】平成16年6月24日(2004.6.24)
【手続補正１】
【補正対象書類名】明細書
【補正対象項目名】特許請求の範囲
【補正方法】変更
【補正の内容】
【特許請求の範囲】
【請求項１】
第１の情報端末向けに作成されたコンテンツを第１のコンテンツ提供装置から取得し、取得したコンテンツ内の特定の要素を処理するためのメタデータファイルを作成するメタデータファイル作成装置と、前記メタデータファイルに対応付けられた第２の情報端末向けのコンテンツを作成する第２のコンテンツ提供装置とを備えたコンテンツ作成配信システムにおけるコンテンツの作成方法であって、
前記メタデータファイル作成装置が、
メタデータファイルの適用対象となる複数のコンテンツにおける任意の１つのコンテンツを前記第１のコンテンツ提供装置から取得する第１のステップと、
取得したコンテンツを構成する複数の要素のうち前記メタデータファイルによる処理対象とする要素を指定する第２のステップと、
メタデータファイルの適用対象となるコンテンツを設定する第３のステップと、
前記第２のステップで指定した要素の前記任意のコンテンツ内での位置情報と前記第３のステップで設定したコンテンツを示す情報とを含んだ任意のメタデータファイルを作成する第４のステップとを備え、
前記第２のコンテンツ提供装置が、
前記第２の情報端末からのコンテンツの配信要求に対し、要求先コンテンツが前記メタデータファイルで定義されたコンテンツに該当する場合は、その要求先コンテンツを前記第１のコンテンツ提供装置から取得し、当該コンテンツから前記メタデータファイル内で設定された要素を抽出し、その要素に対して前記メタデータファイルに設定された処理を行い、第２の情報端末向けのコンテンツを作成する第５のステップと
を備えることを特徴とするコンテンツの作成方法。
【請求項２】
前記第２のステップが、前記メタデータファイルによる処理対象とする要素の親要素を指定するステップと、その処理対象要素を指定するステップとを含み、この２つのステップを繰返すことによりコンテンツ内の任意の複数の要素を指定することを特徴とする請求項１に記載のコンテンツの作成方法。
【請求項３】
前記第２のステップが、複数の要素から成る要素群が繰返されるコンテンツに対し、その親要素に対し繰返し回数を指定し、メタデータファイルによる処理対象要素の繰返しを指定するステップを含むことを特徴とする請求項１または２に記載のコンテンツの作成方法。
【請求項４】
前記第２のステップが、複数の要素から成る要素群が繰返されるコンテンツに対し、その要素群内の一部の要素を指定するときに、当該要素群内の最初の要素と最後の要素を指定するステップと、繰返し回数を指定するステップと、対象要素を指定するステップを含むことを特徴とする請求項１または２に記載のコンテンツの作成方法。
【請求項５】
前記第２のステップが、指定した要素に対する親階層軸及び同一階層軸上のタグの並びを用い、当該指定要素の位置情報を定義するステップを含むことを特徴とする請求項１〜３のいずれか一項に記載のコンテンツの作成方法。
【請求項６】
前記第３のステップが、メタデータファイルの処理対象となるコンテンツ群を設定するステップを含むことを特徴とする請求項１〜５のいずれか一項に記載のコンテンツの作成方法。
【請求項７】
前記第５のステップが、前記第２のステップで指定した要素の親階層軸及び同一階層軸上のタグの並びと、取得した要求先コンテンツ内でのタグの並びとの近似照合を行い、近似範囲内の要素を抽出するステップを含むことを特徴とする請求項５に記載のコンテンツの作成方法。
【請求項８】
前記第５のステップが、前記第２のステップで指定した要素の親階層軸及び同一階層軸上のタグの並びと取得した要求先コンテンツ内でのタグの並びとの相違が予め設定した閾値を超えているか否かを判定し、超えていた場合、取得したコンテンツは前記第２のステップで指定したメタデータファイルが適用できないコンテンツとしてコンテンツ管理者に通知するステップを含むことを特徴とする請求項５または請求項７に記載のコンテンツの作成方法。
【請求項９】
第１の情報端末向けに作成されたコンテンツを第１のコンテンツ提供装置から取得し、取得したコンテンツ内の特定の要素を処理するためのメタデータファイルを作成するメタデータファイル作成装置と、前記メタデータファイルに対応付けられた第２の情報端末向けのコンテンツを作成する第２のコンテンツ提供装置とを備えたコンテンツ作成配信システムであって、
前記メタデータファイル作成装置が、
メタデータファイルの適用対象となる複数のコンテンツにおける任意の１つのコンテンツを前記第１のコンテンツ提供装置から取得する第１の手段と、
取得したコンテンツを構成する複数の要素のうち前記メタデータファイルによる処理対象とする要素を指定する第２の手段と、
メタデータファイルの適用対象となるコンテンツを設定する第３の手段と、
前記第２の手段で指定した要素の前記任意のコンテンツ内での位置情報と前記第３の手段で設定したコンテンツを示す情報とを含んだ任意のメタデータファイルを作成する第４の手段とを有し、
前記第２のコンテンツ提供装置が、
前記第２の情報端末からのコンテンツの配信要求に対し、要求先コンテンツが前記メタデータファイルで定義されたコンテンツに該当する場合は、その要求先コンテンツを前記第１のコンテンツ提供装置から取得し、当該コンテンツから前記メタデータファイル内で指定された要素を抽出し、当該要素に対して前記メタデータファイルに設定された処理を行い、第２の情報端末向けのコンテンツを作成する第５の手段を有することを特徴とするコンテンツ作成システム。
【請求項１０】
前記第２の手段が、前記メタデータファイルによる処理対象とする要素の親要素を指定する手段と、その処理対象要素を指定する手段とを含み、この２つの手段の繰返し処理によりコンテンツ内の任意の複数の要素を指定することを特徴とする請求項９に記載のコンテンツ作成システム。
【請求項１１】
前記第２の手段が、複数の要素から成る要素群が繰返されるコンテンツに対し、その親要素に対し繰返し回数を指定し、メタデータファイルによる処理対象の要素の繰返しを指定する手段を含むことを特徴とする請求項９または１０に記載のコンテンツ作成システム。
【請求項１２】
前記第２の手段が、複数の要素から成る要素群が繰返されるコンテンツに対し、その要素群内の一部の要素を指定するときに、当該要素群内の最初の要素と最後の要素を指定する手段と、繰返し回数を指定する手段と、対象要素を指定する手段を含むことを特徴とする請求項９または１０に記載のコンテンツ作成システム。
【請求項１３】
前記第２の手段が、指定した要素に対する親階層軸及び同一階層軸上のタグの並びを用い、当該指定要素の位置情報を定義する手段を含むことを特徴とする請求項９〜１１のいずれか一項に記載のコンテンツ作成システム。
【請求項１４】
前記第３の手段が、メタデータファイルの適用対象となるコンテンツ群を設定する手段を含むことを特徴とする請求項９〜１３のいずれか一項に記載のコンテンツ作成システム。
【請求項１５】
前記第５の手段が、前記第２の手段で指定した要素の親階層軸及び同一階層軸上のタグの並びと、取得した要求先コンテンツ内でのタグの並びとの近似照合を行い、近似範囲内の要素を抽出する手段を含むことを特徴とする請求項１３に記載のコンテンツ作成ステム。
【請求項１６】
前記第５の手段が、前記第２の手段で指定した要素の親階層軸及び同一階層軸上のタグの並びと取得した要求先コンテンツ内でのタグの並びとの相違が予め設定した閾値を超えているか否かを判定し、超えていた場合、取得したコンテンツは前記第２の手段で指定したメタデータファイルが適用できないコンテンツとしてコンテンツ管理者に通知する手段を含むことを特徴とする請求項１３または請求項１５に記載のコンテンツ作成システム。